(57)【要約】【課題】鉢植えの装飾のために用いられる入れ物を提供すること。【解決手段】鉢植えの装飾用入れ物（１０）は、シート片（１８）を折ることにより形成されている。装飾用入れ物は、鉢植え（１２）のための載置面を規定する底部（２２）及びこれに角度をなして連なる複数の襞部（２４，２６）からなる。これらの襞部は、互いに接合され、底部の上方に鉢植えの一部を覆うための筒状又は截頭錐状の空間（２３）を規定する。【選択図】図１
0003120090.tif 000002
【実用新案登録請求の範囲】
【請求項１】
鉢植えのための装飾用の入れ物であって、
シート片を折ることにより形成された、前記鉢植えのための載置面を規定する底部及び該底部に角度をなして連なり、該底部の上方に前記鉢植えの一部を覆うための筒状又は截頭錐状の空間を規定する互いに接合された複数の襞部からなる、装飾用入れ物。
【請求項２】
鉢植えのための装飾用入れ物であって、
シート片と該シート片に重ね合わされたプラスチックフィルム片とを折ることにより形成された、前記鉢植えのための載置面を規定する底部及び該底部に角度をなして連なり、該底部の上方に前記鉢植えの一部を覆うための筒状又は截頭錐状の空間を規定する互いに接合された複数の襞部からなる、装飾用入れ物。
【請求項３】
前記シート片及び前記プラスチックフィルム片はそれぞれ前記装飾用入れ物の外面及び内面を規定する、請求項２に記載の装飾用入れ物。
【請求項４】
前記シート片は正方形の平面形状を有する、請求項１又は２に記載の装飾用入れ物。
【請求項５】
前記シート片は円形の平面形状を有する、請求項１又は２に記載の装飾用入れ物。
【請求項６】
前記底部は多角形の平面形状を有する、請求項１または２に記載の装飾用入れ物。
【考案の詳細な説明】
【技術分野】
【０００１】
本考案は、鉢植えを装飾するために用いられる鉢植えの入れ物に関する。
【背景技術】
【０００２】
従来、鉢植えの販売に際し、前記鉢植えの装飾のために、例えば不織布からなるシート片の中央に前記鉢植えをおき、前記シート片の残りの部分を上方へ折り、次いで折られて襞になった部分が開かないように襞同士を接着テープで留めたり、前記襞を前記鉢植えの鉢の周囲から輪ゴムで押さえたりすることが行われている。
【０００３】
ところで、前記シート片を用いた鉢植えのための装飾作業には時間と労力とを要するものであり、また前記シート片を折って前記鉢植えの一部を覆うことによる鉢植えの装飾効果の程度は前記シート片の折り方の稚拙に負うところが大きい。
【考案の開示】
【考案が解決しようとする課題】
【０００４】
したがって、本考案の目的は、鉢植えの装飾のために用いられる入れ物を提供することにある。
【課題を解決するための手段】
【０００５】
本考案は、鉢植えの装飾用入れ物に係り、シート片を折ることにより形成された、前記鉢植えのための載置面を規定する底部及び該底部に角度をなして連なり、該底部の上方に前記鉢植えの一部を覆うための筒状又は截頭錐状の空間を規定する互いに接合された複数の襞部からなる。
【０００６】
本考案に係る他の装飾用入れ物は、シート片と該シート片に重ね合わされたプラスチックフィルム片とを折ることにより形成された、前記鉢植えのための載置面を規定する底部及び該底部に角度をなして連なり、該底部の上方に前記鉢植えの一部を覆うための筒状又は截頭錐状の空間を規定する互いに接合された複数の襞部からなる。好ましくは、前記シート片及び前記プラスチックフィルム片がそれぞれ前記装飾用入れ物の外面及び内面を規定する。
【０００７】
前記装飾用入れ物は、正方形又は円形の平面形状を有するシート片を用いて形成することができる。また、前記装飾用入れ物の底部について、これを多角形の平面形状を有するものとすることができる。
【考案の効果】
【０００８】
本考案に係る装飾用の入れ物にあっては、その底部及びその襞部がそれぞれ鉢植えのための載置面及び前記鉢植えの一部を覆うための筒状又は截頭錐状の空間を規定することから、前記装飾用入れ物に鉢植えを入れることにより、例えば鉢植えの鉢を覆い隠し、その装飾を図ることができる。
【０００９】
また、本考案に係る装飾用入れ物はその形態が予め定められており、これに鉢植えを入れることで足りるため、鉢植えのシート片による装飾を容易に行うことができる。さらに、本考案に係る装飾用入れ物はシート片を折ってなることから、これをさらに折り畳んで保管しておき、必要時にこれを広げて使用に供することができる。
【００１０】
装飾用入れ物をシート片とこれに重ね合わされたプラスチックフィルム片とを折ってなるものとするときは、２つの異なる素材による装飾効果を得ることができる。
【００１１】
前記シート片及び前記プラスチックフィルム片がそれぞれ前記装飾用入れ物の外面及び内面を規定するようにするときは、前記プラスチックフィルム片の防水性により前記鉢植えからの水漏れがあったときにおける前記装飾用入れ物からの水の漏れだしを防止することができる。
【００１２】
前記装飾用入れ物を形成するために平面形状の異なる正方形や円形のシート片を使用することができ、前記シート片の平面形状の相違により、これを折ってできる前記襞部の上端の形状を尖ったものや湾曲したものとして装飾性に変化を生じさせることができる。また、前記装飾用入れ物の底部を多角形の平面形状を有するものとすることにより前記襞部の数量の変化とこれに伴う装飾性の変化とを生じさせることができる。
【００１３】
前記底部及び襞部が規定する空間の形は、鉢植えの鉢の形状、大きさ等に合わせて、筒状又は截頭錐状とすることができる。
【考案を実施するための最良の形態】
【００１４】
図１を参照すると、本考案に係る鉢植えのための装飾用の入れ物が全体に符号１０で示されている。
【００１５】
前記鉢植えの装飾は、図２に示すように、入れ物１０に鉢植え１２を入れることにより行うことができる。入れ物１０に鉢植え１２を入れることにより、鉢植え１２の一部、図示の例では鉢植え１２の鉢１４の全部と、該鉢に植え込まれた草花１６の一部とがこれらの周囲を入れ物１０によって覆われ、これにより鉢植え１２が装飾される。
【００１６】
入れ物１０は、好ましくはポリエステル樹脂、ナイロン樹脂、ポリプロピレン樹脂のような熱溶融性の合成樹脂製の不織布からなるシート片１８とこれに重ね合わされた例えばポリエチレン樹脂、塩化ビニル等からなるプラスチックフィルム片２０とを共に折ること、すなわち折り曲げあるいは折り畳むことにより形成され、折られたシート片１８及びプラスチックフィルム片２０がそれぞれ入れ物１０の外面及び内面を規定する。
【００１７】
シート片１８及びプラスチックフィルム片２０を折ってなる入れ物１０は、これに入れられる鉢植え１２のための載置面を規定する底部２２と、該底部に角度をなして連なり、底部２２の上方に鉢植え１２の一部を覆うための筒状、より詳細には角筒状の空間２３を規定する複数の襞部２４，２６とからなる。襞部２４，２６の形状、模様、色彩等が入れ物１０内の鉢植え１２の装飾に寄与する。
【００１８】
図示の例では、入れ物１０の底部２２が正方形の平面形状を有する。また、互いに部分的に重なり合う襞部２４，２６はこれらの一部において互いに接合されている。図示の例では、襞部２４，２６は重なり合った部分において複数の点状の箇所２８で互いに接合されている。接合個所２８は任意の位置に定めることができる。襞部２４，２６の相互接合により、襞部２４，２６が開かずにこれらの折られた状態が維持され、これにより前記角筒状の空間２３が維持される。襞部２４，２６の相互接合は、シート片１８が前記熱溶融性の合成樹脂からなる場合には超音波溶接のような熱溶着によって容易に行うことができる。
【００１９】
シート片１８は、前記合成樹脂材料の他、紙、天然繊維等の材料からなるものであってもよい。この場合の襞部２４，２６の相互接合は、例えば接着剤を用いることにより、あるいは、これらの材料からなるシート片の両面又は片面に熱溶融性の合成樹脂を予め塗布しておくことにより、前記熱溶着によることができる。また、シート片１８は、前記不織布からなるものの他、織布、プラスチックフィルム等からなるものであってもよい。シート片１８の腰を強くするためは、これに糊付けを行うことも可能である。
【００２０】
互いに隣接する襞部２４，２６は、それぞれ、底部２２における前記矩形の各頂点及び両頂点間の各辺間に位置し、上下に伸びるほぼ菱形の平面形状及び矩形の平面形状を有する。矩形の襞部２６は、装飾対象である鉢植え１２の鉢とほぼ同じ高さ寸法を有する。これに対し、菱形の襞部２４は矩形の襞部２６の高さ寸法より大きくかつ鉢植え１２の高さ寸法より小さい高さ寸法を有する。このため、入れ物１０に入れられた鉢植え１２はその鉢１４の全部が襞部２４により覆われ、その草花１６の一部が襞部２６により覆われる（図２参照）。
【００２１】
入れ物１０の底部１８の平面形状、及び襞部２４，２６の形状、重なり合いの程度、高さ等については、鉢植え１２についての装飾性、鉢植え１２の大きさ、高さ等を考慮して、任意に定めることができる。
【００２２】
例えば、底部２２の平面形状を多角形の一つである前記矩形とすることに代えて、六角形とすることができる（図３参照）。これによれば、六角形は前記矩形と比べてより多くの頂点及び辺を有するため、前記頂点及び前記辺にそれぞれ位置する襞部２４及び襞部２６の数量が増大し、より華やかな装飾態様の入れ物１０とすることができる。底部２２の平面形状は、前記多角形とする例に代えて、例えば円形、楕円形等とすることができる。前記円形、楕円形等の平面形状を有する底部は、例えばシート片１８上に重ね合わされたプラスチックフィルム片２０上に円形、楕円等の型紙をおき、該型紙の周縁からその上方にシート片１８及びプラスチックフィルム片２０を共に折り曲げることにより形成することができる。
【００２３】
入れ物１０の襞部２４，２６は、これらが規定する空間２３が前記筒状を呈するものである前記した例に代えて、底部２２を截頭面とする截頭錘、例えば截頭角錐の一つである截頭四角錐を呈するものとすることができる（図４参照）。空間２３の形状は、鉢植え１２の鉢１４の外形（例えば円筒形又は截頭円錐形）に合わせて、前記前記筒状又は截頭錘状とすることができる。前記截頭錘状とするときは、鉢１４の形状を考慮して、底部２２と襞部２４，２６とのなす角度を設定する。
【００２４】
図示の入れ物１０を形成するために用いられたシート片１８及びプラスチックフィルム片２０はそれぞれ正方形の平面形状を有する。シート片１８はプラスチックフィルム片２０より大きい大きさを有し、シート片１８及びプラスチックフィルム片２０は、これらの周縁の相互間距離が該周縁に沿って一定であるように重ね合わされている。シート片１８及びプラスチックフィルム片２０は、鉢植え１２の装飾効果を考慮して、これらの大きさ、材質、模様、色彩等が任意に選択される。
【００２５】
シート片１８及びプラスチックフィルム片２０の平面形状は、これを矩形とする図示の例に代えて、円形とすることができる（図５参照）。これによれば、襞部２４，２６の上縁３０，３２を尖ったものでなく湾曲したものとし、これにより入れ物１０の装飾性を変化させることができる。シート片１８及びプラスチックフィルム片２０の前記平面形状は、矩形以外の多角形、楕円等とすることができる。
【００２６】
また、重ね合わされたシート片１８及びプラスチックフィルム片２０を使用する図示の例に代えて、シート片１８のみを用いて入れ物１０を形成することができる。
【図面の簡単な説明】
【００２７】
【図１】本考案に係る装飾用入れ物の斜視図である。
【図２】鉢植えが入れられた図１に示す装飾用入れ物の縦断面図である。
【図３】底部の平面形状が六角形である装飾用入れ物の斜視図である。
【図４】鉢植えの収容空間が截頭錐状である装飾用入れ物の斜視図である。
【図５】円形のシート片及びプラスチックフィルム片を用いて形成された装飾用入れ物の斜視図である。
【符号の説明】
【００２８】
１０  装飾用入れ物
１２  鉢植え
１８，２０  シート片及びプラスチックフィルム片
２２  入れ物の底部
２３  入れ物の空間
２４，２６  入れ物の襞部
２８  接合箇所
【図１】
0003120090.tif 000003
【図２】
0003120090.tif 000004
【図３】
0003120090.tif 000005
【図４】
0003120090.tif 000006
【図５】
0003120090.tif 000007